(57)【要約】【課題】普通機と称されるパチンコ遊技機において、遊技者にとって有利な入賞順序となる少なくとも１つの入賞装置を示唆またはおよび報知する。また、該報知により遊技者にとって有利となる入賞順序の学習を可能にして、遊技者が遊技を行いながら興趣を持って遊技方法を習得できるパチンコ遊技機を提供する。【解決手段】  遊技球の入球しやすい拡開状態と、遊技球の入球しにくい閉鎖状態を備えた複数の入賞装置を有するパチンコ遊技機において、複数の進入穴からの遊技球の進入および入賞装置への入賞を検知して、入賞装置の拡開状態と閉鎖状態とを変換する変換機構と、入賞装置への入賞を検知して、入賞情報を出力する入賞検知手段と、複数の入賞装置のいずれか１つに入賞した場合においては、遊技者にとって有利な入賞となるように予め設定されている少なくとも１つの入賞装置を示唆するような音態様によって報知する報知手段から成るように構成されているパチンコ遊技機。【選択図】図１２
2010125079.tif 000002
【特許請求の範囲】
【請求項１】
遊技球の入球しやすい拡開状態と、遊技球の入球しにくい閉鎖状態を備えた複数の入賞装置を有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
複数の入賞装置のいずれか１つに入賞した場合においては、遊技者にとって有利な入賞となるように予め設定されている少なくとも１つの入賞装置を示唆するような音態様によって報知する報知手段から成る
ことを特徴とするパチンコ遊技機。
【請求項２】
請求項１において、
前記入賞検知手段が、前記複数の入賞装置の中で役割が同一のものの入賞は、１つの検知手段によって検出する
ことを特徴とするパチンコ遊技機。
【請求項３】
請求項１または請求項２において
前記複数の入賞装置が、第２種非電動役物によって構成される
ことを特徴とするパチンコ遊技機。
【請求項４】
遊技球の入球しやすい拡開状態と、遊技球の入球しにくい閉鎖状態を備えた複数の入賞装置を有するパチンコ遊技機において、
複数の進入穴からの遊技球の進入および入賞装置への入賞を検知して、入賞装置の拡開状態と閉鎖状態とを変換する変換機構と、
少なくとも１つの入賞装置の開閉状態を検知する開閉状態検知手段と、
前記開閉状態検知手段により検知された少なくとも１つの入賞装置の開閉状態に基づいて、前記複数の入賞装置への入賞において遊技者にとって有利な入賞となる少なくとも１つの入賞装置を示唆するような音態様によって報知する報知手段から成る
ことを特徴とするパチンコ遊技機。
【請求項５】
請求項４において、
前記報知手段が、前記開閉状態検知手段により検知された少なくとも１つの入賞装置の開閉状態に基づいて構成される入賞判定テーブルに従って、前記複数の入賞装置への入賞において遊技者にとって有利な入賞となる少なくとも１つの入賞装置を示唆するような音態様によって報知する
ことを特徴とするパチンコ遊技機。
【請求項６】
請求項１ないし請求項５のいずれかにおいて、
前記複数の入賞装置への入賞において遊技者にとって有利な入賞となる少なくとも１つの入賞装置を示唆するような音態様の種類を設定する報知態様設定手段を備えた
ことを特徴とするパチンコ遊技機。
【請求項７】
請求項１ないし請求項６のいずれかにおいて、
前記複数の進入穴への遊技球の進入または前記入賞装置への入賞のタイミングに同期して前記報知態様設定手段が作動する
ことを特徴とするパチンコ遊技機。
【請求項８】
請求項１ないし請求項７のいずれかにおいて
前記報知態様設定手段が遊技者が操作可能な操作ボタンによって構成されている
ことを特徴とするパチンコ遊技機。
【請求項９】
請求項１ないし請求項８のいずれかにおいて、
前記報知手段が、音の種類が異なる複数の音態様で報知可能である
ことを特徴とするパチンコ遊技機。
【請求項１０】
請求項１ないし請求項９のいずれかにおいて
前記報知手段が、音量が異なる複数の音態様で報知可能である
ことを特徴とするパチンコ遊技機。
【請求項１１】
請求項１ないし請求項１０のいずれかにおいて
前記報知手段が、音の周波数が異なる複数の音態様で報知可能である
ことを特徴とするパチンコ遊技機。
【発明の詳細な説明】
【技術分野】
【０００１】
本発明は、パチンコ遊技機において、遊技球の入球しやすい拡開状態と、遊技球の入球しにくい閉鎖状態を備えた複数の入賞装置を有するパチンコ遊技機において、各入賞装置への入賞または複数の進入穴からの遊技球の進入により前記入賞装置の拡開状態および閉鎖状態が変換されるとともに、前記複数の入賞装置への入賞において遊技者にとって有利な入賞となる少なくとも１つの入賞装置を報知するパチンコ遊技機に関するものである。
【背景技術】
【０００２】
従来より、パチンコ遊技機の構成および機能の複雑化に伴い、パチンコ遊技機の遊技方法については分かりづらいものとなっており、遊技者とりわけ初心の遊技者が安心して遊技を行えるために、どのように遊技方法を説明するのかがホール運営上重要な問題となっている。
【０００３】
特許文献１に記載のパチンコ遊技機は、役物装置または入賞口に遊技球が入賞した後に効果音を発生させるものであり、役物装置または入賞口に遊技球が入賞する前に、役物装置または入賞口への入賞において遊技者にとって有利な入賞となる少なくとも１つの役物装置または入賞口を報知するものではなかった。
【特許文献１】特開２０００−２３３０５１
【０００４】
上述したように一般に、普通機と称されるパチンコ遊技機については、第１入賞装置への入賞を契機として付与される入賞口への入賞に対して、遊技方法を熟知した遊技者と遊技方法を熟知していない遊技者とでは獲得賞球数に差異が生じる可能性が比較的高いものであるため、遊技者の熟練度による有利不利が顕著に現れるものであり、公平性が保たれた遊技環境を提供するために遊技方法の説明が重要課題とされている。
【発明の開示】
【発明が解決しようとする課題】
【０００５】
しかしながら、上記従来のパチンコ遊技機においては、図２０に示されるように、役物装置に遊技球が入賞した後に、遊技者にとって有利となる複数の役物装置への入賞順序に関係しない予め設定された効果音を出力するものであり、役物装置に遊技球が入賞する前に、該複数の役物装置への入賞において遊技者にとって有利な入賞となる少なくとも１つの役物装置を報知することができないという問題があった。  
【０００６】
このためホールは、パチンコ遊技機についての小冊子を設置したり、遊技方法を記載したＰＯＰを別途作成したり、遊技者に対してホール従業員による遊技方法の説明を行なったりと、パチンコ遊技機の遊技方法の説明のために多くの手間と費用が必要とされていた。
【０００７】
そこで本発明者らは、遊技球の入球しやすい拡開状態と、遊技球の入球しにくい閉鎖状態を備えた複数の入賞装置を有するパチンコ遊技機において、複数の進入穴からの遊技球の進入および入賞装置への入賞を検知して、入賞装置の拡開状態と閉鎖状態とを変換する変換機構と、入賞装置への入賞を検知して、入賞情報を出力する入賞検知手段と、複数の入賞装置のいずれか１つに入賞した場合においては、遊技者にとって有利な入賞となるように予め設定されている少なくとも１つの入賞装置を示唆するような音態様によって報知する報知手段から成るように構成するという本発明の技術的思想に着眼して、さらに研究開発を重ねた結果、遊技者が報知された音態様により前記複数の入賞装置への入賞において遊技者にとって有利な入賞となる少なくとも１つの入賞装置を知ることができるという目的を達成する本発明に到達した。
【課題を解決するための手段】
【０００８】
本発明（請求項１に記載の第１発明）のパチンコ遊技機は、
遊技球の入球しやすい拡開状態と、遊技球の入球しにくい閉鎖状態を備えた複数の入賞装置を有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
複数の入賞装置のいずれか１つに入賞した場合においては、遊技者にとって有利な入賞となるように予め設定されている少なくとも１つの入賞装置を示唆するような音態様によって報知する報知手段から成る
ものである。
【０００９】
本発明（請求項２に記載の第２発明）のパチンコ遊技機は、
前記第１発明において、
前記入賞検知手段が、前記複数の入賞装置の中で役割が同一のものの入賞は、１つの検知手段によって検出する
ものである。
【００１０】
本発明（請求項３に記載の第３発明）のパチンコ遊技機は、
前記第１発明または第２発明において
前記複数の入賞装置が、第２種非電動役物によって構成される
ものである。
【００１１】
本発明（請求項４に記載の第４発明）のパチンコ遊技機は、
遊技球の入球しやすい拡開状態と、遊技球の入球しにくい閉鎖状態を備えた複数の入賞装置を有するパチンコ遊技機において、
複数の進入穴からの遊技球の進入および入賞装置への入賞を検知して、入賞装置の拡開状態と閉鎖状態とを変換する変換機構と、
少なくとも１つの入賞装置の開閉状態を検知する開閉状態検知手段と、
前記開閉状態検知手段により検知された少なくとも１つの入賞装置の開閉状態に基づいて、前記複数の入賞装置への入賞において遊技者にとって有利な入賞となる少なくとも１つの入賞装置を示唆するような音態様によって報知する報知手段から成る
ものである。
【００１２】
本発明（請求項５に記載の第５発明）のパチンコ遊技機は、
前記第４発明において、
前記報知手段が、前記開閉状態検知手段により検知された少なくとも１つの入賞装置の開閉状態に基づいて構成される入賞判定テーブルに従って、前記複数の入賞装置への入賞において遊技者にとって有利な入賞となる少なくとも１つの入賞装置を示唆するような音態様によって報知する
ものである。
【００１３】
本発明（請求項６に記載の第６発明）のパチンコ遊技機は、
前記第１発明ないし第５発明のいずれかにおいて、
前記複数の入賞装置への入賞において遊技者にとって有利な入賞となる少なくとも１つの入賞装置を示唆するような音態様の種類を設定する報知態様設定手段を備えた
ものである。
【００１４】
本発明（請求項７に記載の第７発明）のパチンコ遊技機は、
前記第１発明ないし第６発明のいずれかにおいて、
前記複数の進入穴への遊技球の進入または前記入賞装置への入賞のタイミングに同期して前記報知態様設定手段が作動する
ものである。
【００１５】
本発明（請求項８に記載の第８発明）のパチンコ遊技機は、
前記第１発明ないし第７発明のいずれかにおいて
前記報知態様設定手段が遊技者が操作可能な操作ボタンによって構成されている
ものである。
【００１６】
本発明（請求項９に記載の第９発明）のパチンコ遊技機は、
前記第１発明ないし第８発明のいずれかにおいて、
前記報知手段が、音の種類が異なる複数の音態様で報知可能である
ものである。
【００１７】
本発明（請求項１０に記載の第１０発明）のパチンコ遊技機は、
第１発明ないし第９発明のいずれかにおいて
前記報知手段が、音量が異なる複数の音態様で報知可能である
ものである。
【００１８】
本発明（請求項１１に記載の第１１発明）のパチンコ遊技機は、
前記第１発明ないし第１０発明のいずれかにおいて
前記報知手段が、音の周波数が異なる複数の音態様で報知可能である
ものである。
【発明の効果】
【００１９】
本発明（請求項１に記載の第１発明）のパチンコ遊技機は、遊技球の入球しやすい拡開状態と、遊技球の入球しにくい閉鎖状態を備えた複数の入賞装置を有するパチンコ遊技機において、前記変換機構が複数の進入穴からの遊技球の進入および入賞装置への入賞を検知して、前記入賞装置の拡開状態と閉鎖状態とを変換するとともに、前記入賞検知手段が複数の入賞装置のいずれか１つへの入賞を検知した場合においては、前記報知手段が遊技者にとって有利な入賞となるように予め設定されている少なくとも１つの入賞装置を示唆するような音態様によって報知するので、遊技者が報知された音態様により前記複数の入賞装置への入賞において遊技者にとって有利な入賞となる少なくとも１つの入賞装置を知ることができるという効果を奏する。また、前記複数の入賞装置への入賞において遊技者にとって有利な入賞となる少なくとも１つの入賞装置を示唆するので、遊技者にとって有利となる入賞順序の学習を可能にすることができるので、遊技者が遊技を行いながら興趣を持って遊技方法を習得することができるという効果を奏する。
【００２０】
本発明（請求項２に記載の第２発明）のパチンコ遊技機は、前記第１発明において、前記入賞検知手段が、前記複数の入賞装置の中で役割が同一のものの入賞は、１つの検知手段によって検出するので、必要となる検知手段の数を削減することによりパチンコ遊技機の製造コストを低減できるという効果を奏する。
【００２１】
本発明（請求項３に記載の第３発明）のパチンコ遊技機は、前記第１発明または第２発明において第２種非電動役物の中で役割が同一のものの入賞に対して１つの検知手段によって検出するので、必要となる検知手段の数を削減することによりパチンコ遊技機の製造コストを低減できるという効果を奏する。
【００２２】
本発明（請求項４に記載の第４発明）のパチンコ遊技機は、遊技球の入球しやすい拡開状態と、遊技球の入球しにくい閉鎖状態を備えた複数の入賞装置を有するパチンコ遊技機において、前記変換機構が複数の進入穴からの遊技球の進入および入賞装置への入賞を検知して、前記入賞装置の拡開状態と閉鎖状態とを変換するとともに、前記開閉状態検知手段により少なくとも１つの入賞装置の開閉状態を検知して、前記開閉状態検知手段により検知された少なくとも１つの入賞装置の開閉状態に基づいて、前記報知手段により前記複数の入賞装置への入賞において遊技者にとって有利な入賞となる少なくとも１つの入賞装置を示唆するような音態様によって報知するので、遊技者が報知された音態様によって前記複数の入賞装置への入賞において遊技者にとって有利な入賞となる少なくとも１つの入賞装置を知ることができるという効果を奏する。また、前記複数の入賞装置への入賞において遊技者にとって有利な入賞となる少なくとも１つの入賞装置を示唆するので、遊技者にとって有利となる入賞順序の学習を可能にすることができるので、遊技者が遊技を行いながら興趣を持って遊技方法を習得することができるという効果を奏する。
【００２３】
本発明（請求項５に記載の第５発明）のパチンコ遊技機は、前記第４発明において、前記報知手段が、前記開閉状態検知手段により検知された少なくとも１つの入賞装置の開閉状態に基づいて構成される入賞判定テーブルに従って、前記複数の入賞装置への入賞において遊技者にとって有利な入賞となる少なくとも１つの入賞装置を示唆するような音態様によって報知するので、遊技者が報知された音態様によって前記複数の入賞装置への入賞において遊技者にとって有利な入賞となる少なくとも１つの入賞装置を知ることができるという効果を奏する。また、前記複数の入賞装置への入賞において遊技者にとって有利な入賞となる少なくとも１つの入賞装置を示唆するので、遊技者にとって有利となる入賞順序の学習を可能にすることができるので、遊技者が遊技を行いながら興趣を持って遊技方法を習得することができるという効果を奏する。
【００２４】
本発明（請求項６に記載の第６発明）のパチンコ遊技機は、前記第１発明ないし第５発明のいずれかにおいて、前記報知態様設定手段が、前記複数の入賞装置への入賞において遊技者にとって有利な入賞となる少なくとも１つの入賞装置を示唆するような音態様の種類を設定するので、前記報知態様設定手段の作動を契機として報知する音態様の種類を変更するため、遊技者に興趣のある遊技を提供することができるという効果を奏する。
【００２５】
本発明（請求項７に記載の第７発明）のパチンコ遊技機は、前記第１発明ないし第６発明のいずれかにおいて、前記複数の進入穴への遊技球の進入または前記入賞装置への入賞のタイミングに同期して前記報知態様設定手段が作動するので、前記報知手段において報知される音態様の種類を明確にすることができるという効果を奏する。
【００２６】
本発明（請求項８に記載の第８発明）のパチンコ遊技機は、前記第１発明ないし第６発明のいずれかにおいて、遊技者が操作ボタンを操作することにより、遊技者の所望する音態様を選択することが可能であるので、遊技者の参加感を高めた興趣のある遊技を提供できるという効果を奏する。
【００２７】
本発明（請求項９に記載の第９発明）のパチンコ遊技機は、前記第１発明ないし第８発明のいずれかにおいて、音の種類が異なる複数の音態様によって遊技者にとって有利な入賞となる少なくとも１つの入賞装置を示唆するので、遊技者が報知された音の種類により興趣をもって遊技者にとって有利となる前記入賞装置への入賞順序を知ることができるという効果を奏する。
【００２８】
本発明（請求項１０に記載の第１０発明）のパチンコ遊技機は、前記第１発明ないし第９発明のいずれかにおいて、音量が異なる複数の音態様によって遊技者にとって有利な入賞となる少なくとも１つの入賞装置を示唆するので、遊技者が報知された異なる音量により興趣をもって遊技者にとって有利となる前記入賞装置への入賞順序を知ることができるという効果を奏する。
【００２９】
本発明（請求項１１に記載の第１１発明）のパチンコ遊技機は、前記第１発明ないし第１０発明のいずれかにおいて、音の周波数が異なる複数の音態様によって遊技者にとって有利な入賞となる少なくとも１つの入賞装置を示唆するので、遊技者が報知された異なる音の周波数により興趣をもって遊技者にとって有利となる前記入賞装置への入賞順序を知ることができるという効果を奏する。
【発明を実施するための最良の形態】
【００３０】
以下本発明の最良の実施の形態につき実施例に基づき、図面を用いて説明する。
【実施例１】
【００３１】
本第１実施例のパチンコ遊技機は前記第１発明ないし第３発明および第９発明の実施例であり、第２種非電動役物１２ないし１５の左誘導部材および右誘導部材に誘導されて入賞した遊技球を検知する入賞検知手段２の検知出力に基づき入賞装置の１つないし３つを選択的に示唆するように音態様が設定されていて、装飾部材９８Ａないし９８Ｄに描かれた複数の動物を示唆する動物の鳴き声の音態様が前記第２種非電動役物１２ないし１５への入賞において遊技者にとって有利となる少なくとも１つの前記第２種非電動役物１２ないし１５を示唆すべく報知するように構成した点を特徴とする。なお、該音態様は報知手段９としてのスピーカ９９によって報知されるものである。
【００３２】
また、第２種非電動役物１２ないし１４の左誘導部材および右誘導部材に誘導されて入賞した遊技球を前記遊技盤１００の後方に形成された遊技球導出路において同一経路を通過するように構成して、該同一経路に入賞検知スイッチ２９を配設することにより、パチンコ遊技機製造に必要となる前記入賞検知スイッチの数を減らした点に特徴がある。
【００３３】
第１実施例のパチンコ遊技機は、図１ないし図１２に示されるように、遊技球の入球しやすい拡開状態と、遊技球の入球しにくい閉鎖状態を備えた複数の入賞装置を有するパチンコ遊技機において、複数の進入穴からの遊技球の進入および入賞装置への入賞を検知して、入賞装置の拡開状態と閉鎖状態とを変換する変換機構１と、入賞装置への入賞を検知して、入賞情報を出力する入賞検知手段２と、入賞検知手段の検知出力に基づき遊技者にとって有利な入賞となる１つないし３つの入賞装置を示唆する音態様によって報知する報知手段９を備えるものである。
【００３４】
第１実施例のパチンコ遊技機は、図１ないし図１２に示されるように遊技盤１００に、遊技球が入球しやすい拡開状態と、遊技球が入球しにくい閉鎖状態を備えた第１種非電動役物１０および１１と、遊技球が入球しやすい拡開状態と、遊技球が入球しにくい閉鎖状態を備えた第２種非電動役物１２ないし１５が配設されている。
【００３５】
前記変換機構１は、遊技球の進入を検知して、前記第１種非電動役物および第２種非電動役物の誘導状態を変換する変換機構１０Ｔないし１５Ｔによって構成される。
【００３６】
前記入賞検知手段２は、各入賞装置への入賞を検知して入賞情報を出力する入賞検知スイッチ２０、２１、２５、２６、２７および２９によって構成される。
【００３７】
前記報知手段９は、前記入賞検知スイッチ２０、２１、２５、２６、２７および２９より出力された入賞情報に基づいて、前記入賞検知スイッチ毎に設定された音態様で報知するスピーカ９９によって構成される。
【００３８】
第１実施例のパチンコ遊技機は、前記入賞検知スイッチ２０、２１、２５、２６、２７および２９より出力された入賞情報に基づいて同一または異なった音態様（すなわち音の発生態様）で報知する前記スピーカ９９と、遊技球の進入によって前記第２種非電動役物１２ないし１５の一部を拡開状態へと変換する左ゲート３０、中ゲート３１および右ゲート３２と、前記第２種非電動役物１３の上入賞口への入賞を支持する下ゲート３３と、遊技盤１００の後方に形成された遊技球導出路を備えている。
【００３９】
前記第１種非電動役物１０は、図４または図５に示されるように略扇形状に形成され対向して揺動可能に配設された左誘導部材４０および右誘導部材４１と、変換機構１０Ｔにより構成されている。
【００４０】
前記変換機構１０Ｔは、前記左誘導部材４０および右誘導部材４１の閉鎖状態においては前記左誘導部材４０および右誘導部材４１の下端部に当接支持することにより前記左誘導部材４０および右誘導部材４１を閉鎖状態に維持させるロック部材４２と、前記ロック部材４２と一体的に形成され上入賞口より入賞した遊技球を遊技盤１００の後方に形成された遊技球導出路に誘導する第１のガイド部材４３と、前記ロック部材４２および第１のガイド部材４３と対向して平行に形成され、前記左誘導部材４０および右誘導部材４１の拡開状態において、前記左誘導部材４０および右誘導部材４１に誘導されて入賞した遊技球を遊技盤１００の後方に形成された遊技球導出路に誘導する第２のガイド部材４５と、前記第１のガイド部材４３の略中心位置に介挿され前記ロック部材４２と、第１のガイド部材４３、および第２のガイド部材４５の揺動動作を支持する略円柱状の支持部材４４により構成されている。
【００４１】
なお、前記左誘導部材４０および右誘導部材４１は、図４（ａ）に示されるようにその閉鎖状態において、前記第１種非電動役物１０の上入賞口より入賞した遊技球は前記第１のガイド部材４３上に落下して、図４（ｂ）に示されるように前記第１のガイド部材４３が前記支持部材４４を支点として図４中時計方向に揺動動作するため、前記第１のガイド部材４３と一体的に形成された前記ロック部材４２と前記左誘導部材４０および右誘導部材４１との間に介挿された当接状態が解除されることにより、前記左誘導部材４０および右誘導部材４１が自重により拡開状態に変換される。
【００４２】
なお、図５（ａ）に示されるように前記左誘導部材４０および右誘導部材４１の拡開状態において、前記左誘導部材４０および右誘導部材４１に誘導されて入賞した遊技球は前記第２のガイド部材４５上に落下して、図５（ｂ）に示されるように前記第２のガイド部材４５が前記支持部材４４を支点として図５中時計方向に揺動動作するため、前記第１のガイド部材４３と一体的に形成された前記ロック部材４２が前記左誘導部材４０および右誘導部材４１との間に介挿されて当接状態となることにより、前記左誘導部材４０および右誘導部材４１が閉鎖状態に変換される。
【００４３】
なお、以下の説明では図４および図５に示されるように遊技球の進入により左誘導部材および右誘導部材を閉鎖状態から拡開状態へと変換する変換機構における範囲を拡開落下点ＯＰとして表すとともに、左誘導部材および右誘導部材を拡開状態から閉鎖状態へと変換する変換機構における範囲を閉鎖落下点ＣＬとして表す。
【００４４】
前記第１種非電動役物１１および変換機構１１Ｔは前記第１種非電動役物１０および変換機構１０Ｔと同様の構成であるため説明を省略する。
【００４５】
前記第２種非電動役物１２は、図６ないし図９に示されるように略扇形状に形成された左誘導部材５０および右誘導部材５１と、動物の象が描かれた前記装飾部材９８Ａと、変換機構１２Ｔにより構成されている。
【００４６】
前記変換機構１２Ｔは、前記左誘導部材５０および右誘導部材５１の閉鎖状態においては前記左誘導部材５０および右誘導部材５１の下端部に当接支持することにより前記左誘導部材５０および右誘導部材５１を閉鎖状態に維持させるロック部材５２と、前記ロック部材５２と一体的に形成され上入賞口より入賞して拡開落下点ＯＰに落下した遊技球を遊技盤１００の後方に形成された遊技球導出路に誘導する第１のガイド部材５３と、前記ロック部材５２および第１のガイド部材５３と対向して平行に形成され、前記左誘導部材５０および右誘導部材５１の拡開状態において、前記左誘導部材５０および右誘導部材５１に誘導されて入賞した遊技球を遊技盤１００の後方に形成された遊技球導出路に誘導する第２のガイド部材５５と、前記第１のガイド部材５３の略中心位置に介挿され前記ロック部材５２、第１のガイド部材５３、および第２のガイド部材５５の揺動動作を支持する略円柱状の支持部材５４と、前記第１のガイド部材５３の図中後方右端に穿設され後述する第２の左アーム５８の揺動動作を連絡する円柱状の連絡棒５６と、前記左ゲート３０および中ゲート３１を通過した遊技球の自重により押圧されて揺動し、一方の先端に前記第２の左アーム５８の歯部と噛み合う歯部を有する略くの字状の第１の左アーム５７と、一方の先端に前記第１の左アーム５７の歯部と噛み合う歯部を有するとともに他方の先端において図９に示されるように前記連絡棒５６と当接する突出部５９を備え、前記第１の左アーム５７が図中時計方向に揺動する場合には互いに噛み合う歯部において連絡して図中反時計方向に揺動する略Ｙの字状の第２の左アーム５８により構成されている。
【００４７】
なお、前記第２の左アーム５８が、図８（Ｂ）に示されるように遊技球の落下による前記第１の左アーム５７の時計方向の揺動に応じて中反時計方向に揺動することにより前記連絡棒５６が前記突出部５９によって図８（Ｂ）中下方に揺動されるので、図７に示されるように前記第１のガイド部材５３が前記支持部材５４を支点として図７中反時計方向に揺動するため、前記左誘導部材５０および右誘導部材５１の下部に介挿されている前記ロック部材５２のロック機構としての状態が解除され、前記左誘導部材５０および右誘導部材５１が拡開状態となる。
【００４８】
なお、上述したように図８（Ｂ）に示される前記左誘導部材５０および右誘導部材５１の拡開状態において、前記左誘導部材５０および右誘導部材５１に誘導されて入賞した遊技球は前記第２のガイド部材５５の閉鎖落下点ＣＬに落下して、前記第２のガイド部材５５が前記支持部材５４を支点として揺動動作するため前記第１のガイド部材５３と一体的に形成された前記ロック部材５２が前記左誘導部材５０および右誘導部材５１の下部に介挿され当接状態となることにより、前記左誘導部材５０および右誘導部材５１が閉鎖状態に変換される。
【００４９】
第２種非電動役物１４および変換機構１４Ｔは前記第２種非電動役物１２および変換機構１２Ｔと左右対称に構成されており、基本構成が同様であるため説明および図示を省略する。すなわち、第２種非電動役物１４は上入賞口より入賞した場合に加え、前記中ゲート３１および右ゲート３２を遊技球が通過した場合に、該入賞した遊技球または通過した遊技球が前記第２種非電動役物１４における拡開落下点ＯＰに落下することにより拡開状態となるように構成されている。なお、前記第２種非電動役物１４は、動物の象が描かれた前記装飾部材９８Ｃを備えている。
【００５０】
なお、上記した前記変換機構１２Ｔにおいて図８（Ｂ）を用いた説明と同様に、前記第２種非電動役物１４は、左誘導部材および右誘導部材の拡開状態において、左誘導部材および右誘導部材に誘導されて入賞した遊技球は前記第２のガイド部材の閉鎖落下点ＣＬに落下して、第２のガイド部材が支持部材を支点として揺動動作するため記第１のガイド部材と一体的に形成されたロック部材が左誘導部材および右誘導部材の下部に介挿され当接状態となることにより、左誘導部材および右誘導部材が閉鎖状態に変換される。
【００５１】
第２種非電動役物１３は前記第１種非電動役物１０と基本構成が同様であるため、相違点を中心に説明する。
前記第２種非電動役物１３の変換機構１３Ｔの動作原理は、図１０に示されるように前記下ゲート３３に支持されるか、または直接上入賞口へ入賞した遊技球が拡開落下点ＯＰに落下することにより拡開状態に変換されるとともに、前記左ゲート３０、中ゲート３１および右ゲート３２に進入した遊技球が拡開落下点ＯＰに落下することにより拡開状態に変換されるものである。
【００５２】
なお、上述したように左誘導部材および右誘導部材の拡開状態において、左誘導部材および右誘導部材に誘導されて入賞した遊技球は第２のガイド部材の閉鎖落下点ＣＬに落下して、第２のガイド部材が支持部材を支点として揺動動作するため記第１のガイド部材と一体的に形成されたロック部材が左誘導部材および右誘導部材と当接状態となることにより、左誘導部材および右誘導部材が閉鎖状態に変換される。また、前記第２種非電動役物１３は、動物の象が描かれた前記装飾部材９８Ｂを備えている。
【００５３】
第２種非電動役物１５は前記第１種非電動役物１０と基本構成が同様であるため、相違点を中心に説明する。
前記第２種非電動役物１５の変換機構１５Ｔの動作原理は、前記第２種非電動役物１２、１３および１４の左誘導部材および右誘導部材に誘導されて入賞した遊技球が、図３に示されるように前記遊技盤１００の後方に形成された遊技球導出路を通って、前記第２種非電動役物１５の拡開落下点ＯＰに落下することにより拡開状態に変換されるものである。
【００５４】
なお、上述したように左誘導部材および右誘導部材の拡開状態において、左誘導部材および右誘導部材に誘導されて入賞した遊技球は第２のガイド部材の閉鎖落下点ＣＬに落下して、第２のガイド部材が支持部材を支点として揺動動作するため記第１のガイド部材と一体的に形成されたロック部材が左誘導部材および右誘導部材と当接状態となることにより、左誘導部材および右誘導部材が閉鎖状態に変換される。また、前記第２種非電動役物１５は、動物のライオンが描かれた前記装飾部材９８Ｄを備えている。（なお、装飾部材９８Ａないし９８Ｄは図示しない。）
【００５５】
本第１実施例のパチンコ遊技機の制御システムの概要は図１１に示されるように、メイン制御基板８０に信号を出力する入賞検知手段２を構成する入賞検知スイッチ２０、２１、２５、２６、２７および２９と、メインＣＰＵ８１、メインＲＯＭ８２およびメインＲＡＭ８３を格納した前記メイン制御基板８０と、前記メイン制御基板８０からの信号を入力して前記スピーカ９９に対して出力指令を出力する音声制御基板８４と、前記メイン制御基板８０からの信号を入力して賞球払出指令を出力する払出制御基板８５によって構成される。
【００５６】
以下において、本第１実施例における前記スピーカ９９によって報知される音態様（音の発生態様）の決定制御を説明する。
【００５７】
本第１実施例のパチンコ遊技機における第１種非電動役物１０および１１に遊技球が入賞すると図１２に示されるように前記入賞検知スイッチ２０および２１に対応して設定された音態様（サ）が前記スピーカ９９によって報知される。同様に、入賞口１６および１７に遊技球が入賞すると前記入賞検知スイッチ２６および２７に対応して設定された音態様（サ）が前記スピーカ９９によって報知される。
【００５８】
なお、本第１実施例のパチンコ遊技機では一例として、音態様（サ）については、少なくとも動物の象およびライオンの鳴き声に相当することのない効果音もしくは電子音を発生させるものとする。
【００５９】
一方、前記第２種非電動役物１２ないし１４の前記左誘導部材および右誘導部材に誘導されて遊技球が入賞すると図１２に示されるように前記入賞検知スイッチ２９に対応して設定された音態様（ア）が前記スピーカ９９によって報知される。また、第２種非電動役物１５の前記左誘導部材および右誘導部材に誘導されて遊技球が入賞すると前記入賞検知スイッチ２５に対応して設定された音態様（イ）が前記スピーカ９９によって報知される。
【００６０】
なお、本第１実施例のパチンコ遊技機では一例として、音態様（ア）については、動物のライオンの鳴き声に相当する録音を再生するものとし、音態様（イ）については動物の象の鳴き声に相当する録音を再生するものとする。
【００６１】
すなわち、本第１実施例のパチンコ遊技機は上述したように遊技者にとって有利となる順序で前記第２種非電動役物１２ないし１５の前記左誘導部材および右誘導部材に誘導されて遊技球が入賞すると、例えば前記第２種非電動役物１２ないし１４の前記左誘導部材および右誘導部材に誘導されて遊技球が入賞し、動物のライオンの泣き声を発生させる音態様（ア）によって動物のライオンが描かれた前記装飾部材９８Ｄを備えた前記第２種非電動役物１５を示唆し、前記第２種非電動役物１５の前記左誘導部材および右誘導部材に誘導されて遊技球が入賞し、動物の象の泣き声を発生させる音態様（イ）によって動物の象が描かれた前記装飾部材９８Ａないし９８Ｃを備えた前記第２種非電動役物１２ないし１４を示唆し、前記第２種非電動役物１２ないし１４の前記左誘導部材および右誘導部材に誘導されて遊技球が入賞する等のように音態様（ア）と音態様（イ）が遊技者にとって有利な入賞順序となる少なくとも１つの前記第２種非電動役物１２ないし１５を常に示唆すべく報知する構成となっている。
【００６２】
以下、上記構成および作用の本第１実施例のパチンコ遊技機の効果について説明する。
【００６３】
本第１実施例のパチンコ遊技機は、前記入賞検知スイッチ２０、２１、２５、２６、２７および２９が複数の入賞装置のいずれか１つへの入賞を検知した場合においては、前記報知手段９が遊技者にとって有利な入賞となるように予め設定されている１つないし３つの前記第２種非電動役物１２ないし１５を示唆する動物の鳴き声の音態様によって報知するので、遊技者が報知された音態様により前記複数の入賞装置への入賞において遊技者にとって有利な入賞となる少なくとも１つの入賞装置を知ることができるという効果を奏する。
【００６４】
また、本第１実施例のパチンコ遊技機は、報知された該音態様によって遊技者にとって有利となる１つないし３つの前記第２種非電動役物１２ないし１５を動物の鳴き声によって示唆するため、遊技者に対して遊技者にとって有利となる入賞順序の学習を可能にすることができるので、遊技者が遊技を行いながら興趣を持って遊技方法を習得することができるという効果を奏する。
【００６５】
本第１実施例のパチンコ遊技機は、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチ２９を配設したので、前記複数の入賞装置の中で役割が同一のものの入賞を１つの検知手段によって検出したので、必要となる検知手段の数を削減することによりパチンコ遊技機の製造コストを低減することができるという効果を奏する。
【００６６】
上述した第１実施例においては、前記スピーカ９９によって報知する音態様のリズムまたはテンポは変化しない構成としたが、本発明はこれに限定されるものではなく、リズムまたはテンポの異なる音態様（４分音符、８分音符等による差異がある音態様）によって遊技者にとって有利となる前記第２種非電動役物１２ないし１５を報知する変形例を採用することが出来る。
【００６７】
上述の第１実施例においては、遊技者にとって有利となる前記第２種非電動役物１２ないし１５への入賞順序を示唆するために、一例として動物の種類の異なる鳴き声の音態様を用いたが、本発明はこれに限定されるものではなく、報知される音量が異なる２段階の音形態を採用することもできるとともに、音の種類または音量による差異は上述した実施例に記載した２段階に限定されるものではなく、音の種類または音量の異なる音態様を３段階以上用いた形態を採用することが出来る。また、報知される音の種類は動物の鳴き声に限定されるものではなく、本発明の効果を有効に実現するにあたり、その他の動物の鳴き声、楽器の音色、人間の声、自然の音を録音したもの、シンセサイザーで合成した音、その他適宜選択した変形例を採用することが出来るものである。
【００６８】
本第１実施例のパチンコ遊技機のパチンコ遊技機は、音の種類が異なる複数の音態様によって遊技者にとって有利な入賞となる１つないし３つの前記第２種非電動役物１２ないし１５を示唆するので、遊技者が報知された音態様により興趣をもって遊技者にとって有利となる前記第２種非電動役物１２ないし１５への入賞順序を知ることができるという効果を奏する。
【００６９】
本第１実施例のパチンコ遊技機の変形例のパチンコ遊技機は、音量または音のリズムが異なる複数の音態様によって遊技者にとって有利な入賞となる１つないし３つの前記第２種非電動役物１２ないし１５を示唆するので、遊技者が報知された音態様により興趣をもって遊技者にとって有利となる前記第２種非電動役物１２ないし１５への入賞順序を知ることができるという効果を奏する。
【００７０】
また、本第１実施例のパチンコ遊技機は、音情報によって遊技者にとって有利となる前記第２種非電動役物１２ないし１５を報知するため、目の不自由な遊技者に対しても遊技者にとって有利となる前記第２種非電動役物１２ないし１５を報知することを可能にするという効果を奏する。
【００７１】
また、本第１実施例のパチンコ遊技機は、報知手段９としての１つの前記スピーカ９９によって、遊技者にとって有利となる前記第２種非電動役物１２ないし１５を示唆するような音態様によって報知するので、必要となる報知手段の数を１つとすることによりパチンコ遊技機の製造コストを低減することができるという効果を奏する。
【実施例２】
【００７２】
本第２実施例のパチンコ遊技機は、前記第４発明、第５発明および第９発明の実施例であり、前記第２種非電動役物１２ないし１５の開閉状態を検知する開閉状態検知手段９２を備え、前記開閉状態検知手段９２による前記第２種非電動役物１２ないし１５の開閉状態の検知出力に基づいて遊技者にとって有利な入賞となる１つまたは複数の前記第２種非電動役物１２ないし１５を判定する判定手段９４における判定結果に基づいてスピーカ９９が楽器の種類が異なった音色の音態様によって報知するように構成した点が、上述の第１実施例との主な相違点であり、以下相違点を中心に説明する。
【００７３】
第２実施例のパチンコ遊技機は、図１３ないし図１５に示されるように前記第２種非電動役物１２ないし１５の開閉状態を検知する開閉状態検知手段９２と、前記開閉状態検知手段９２における検知出力に基づいて構成される入賞判定テーブル９３に従って、前記第２種非電動役物１２ないし１５への入賞が遊技者にとって有利となる１つまたは複数の前記第２種非電動役物１２ないし１５を判定する判定手段９４と、前記判定手段９４における判定結果に基づいて前記第２種非電動役物１２ないし１５に対応した楽器の音色の音態様を報知する報知手段９と、遊技球の進入によって前記第２種非電動役物１２ないし１５の一部を拡開状態へと変換する左ゲート３０、中ゲート３１および右ゲート３２と、前記第２種非電動役物１２ないし１５への入賞を検知して入賞情報を出力する入賞検知スイッチ２２ないし２５と、前記第２種非電動役物１２に配設され楽器のカスタネットが描かれた装飾部材９８２Ａと、前記第２種非電動役物１３に配設され楽器のピアノが描かれた装飾部材９８２Ｂと、前記第２種非電動役物１４に配設され楽器のバイオリンが描かれた装飾部材９８２Ｃと、前記第２種非電動役物１５に配設され楽器のフルートが描かれた装飾部材９８２Ｄとを備えている。（なお、装飾部材９８２Ａないし９８２Ｄは図示しない。）
【００７４】
前記開閉状態検知手段９２は、前記第２種非電動役物１２の開閉状態を検知する開閉状態検知装置１１２、前記第２種非電動役物１３の開閉状態を検知する開閉状態検知装置１１３、前記第２種非電動役物１４の開閉状態を検知する開閉状態検知装置１１４および前記第２種非電動役物１５の開閉状態を検知する開閉状態検知装置１１５により構成される。
【００７５】
前記開閉状態検知装置１１２は、図１４（ａ）に示されるように、前記遊技盤１００の裏面に前記第２種非電動役物１２に対して一定距離下方に離して配設され、一端が固着されたバネ部材より成る薄板矩形状の揺動部材１２０と、前記揺動部材１２０の他端に回転自在に配設されたローラ状部材１２１とから成り、前記第２種非電動役物１２が閉鎖状態の時には、前記ローラ状部材１２１が前記第２のガイド部材５５の下端に当接して図中下方に押圧されるので、前記ローラ状部材１２１を一端に支持する前記揺動部材１２０が他端を中心として図中時計方向に揺動するので、前記揺動部材１２０と非接触の接点部材１２２が揺動してきた前記揺動部材１２０に接触して図中下方へ押圧され、前記第２種非電動役物１２が閉鎖状態であることを検知するように構成されている。
【００７６】
なお、図１４（ｂ）に示されるように、前記第２種非電動役物１２が拡開状態の時には、前記ローラ状部材１２１が図中反時計方向に揺動した前記第２のガイド部材５５と非接触状態となるので、前記ローラ状部材１２１を一端に支持する前記揺動部材１２０が他端を中心として図中反時計方向に揺動するので、前記揺動部材１２０と接点部材１２２は非接触状態を維持して、前記第２種非電動役物１２が拡開状態であることを検知するように構成されている。
【００７７】
また、前記開閉状態検知装置１１３ないし１１５については前記開閉状態検知装置１１２と同様の構成であるため説明を省略する。
【００７８】
前記入賞判定テーブル９３は、図１５に示されるように、前記第２種非電動役物１２ないし１５の開閉状態のデータと、該前記第２種非電動役物１２ないし１５の各開閉状態のデータと対応させたスピーカ９９による報知音態様により構成され、予め前記ＲＯＭ８２に格納されている。
【００７９】
以下において、本第２実施例における前記スピーカ９９によって報知される音態様の決定制御を説明する。
【００８０】
遊技が開始された後、前記左ゲート３０に遊技球が進入した場合には、前記第２種非電動役物１２および前記第２種非電動役物１３が拡開状態にあり、前記第２種非電動役物１４および前記第２種非電動役物１５は閉鎖状態にある。なお、以下においてはこの状態を「状態１」として説明する。
【００８１】
ここで前記開閉状態検知手段９２において検知された前記第２種非電動役物１２ないし１５の開閉状態のデータに基づき、図１５に示される前記入賞判定テーブル９３の上から４行目を参照して、遊技者にとって有利な入賞順序となる前記第２種非電動役物１２および１３に対応する楽器のカスタネットの音色とピアノの音色が前記スピーカ９９によって短い周期で交互に繰り返し報知される。
【００８２】
上記した「状態１」において、前記第２種非電動役物１２の前記左誘導部材および右誘導部材に誘導されて遊技球が入賞した場合には、前記第２種非電動役物１３および前記第２種非電動役物１５が拡開状態にあり、前記第２種非電動役物１２および前記第２種非電動役物１４は閉鎖状態にある。なお、以下においてはこの状態を「状態２」として説明する。
【００８３】
ここで上記した「状態２」において、前記開閉状態検知手段９２において検知された前記第２種非電動役物１２ないし１５の開閉状態のデータに基づき、図１５に示される前記入賞判定テーブル９３の上から１１行目を参照して、遊技者にとって有利な入賞順序となる前記第２種非電動役物１５に対応する楽器のフルートの音色が前記スピーカ９９によって報知される。
【００８４】
本第２実施例のパチンコ遊技機においては、上述したように前記第２種非電動役物１２ないし１５の前記左誘導部材および右誘導部材に誘導されて遊技球が入賞して前記入賞検知スイッチ２２ないし２５において該入賞が検知される毎に、上記した前記入賞判定テーブル９３を参照して前記スピーカ９９によって報知する音態様を選択する。
【００８５】
以下、上記構成および作用の本第２実施例のパチンコ遊技機の効果について説明する。
【００８６】
上記作用を奏する第２実施例のパチンコ遊技機は、遊技球の入球しやすい拡開状態と、遊技球の入球しにくい閉鎖状態を備えた複数の入賞装置を有するパチンコ遊技機において、前記変換機構１が複数の進入穴からの遊技球の進入および入賞装置への入賞を検知して、前記入賞装置の拡開状態と閉鎖状態とを変換するとともに、前記開閉状態検知手段９２により前記第２種非電動役物１２ないし１５の開閉状態を検知して、前記開閉状態検知手段９２により検知された開閉状態に基づいて、前記スピーカ９９により前記第２種非電動役物１２ないし１５への入賞において遊技者にとって有利な入賞となる１つまたは複数の前記第２種非電動役物１２ないし１５を音態様によって報知するので、遊技者が報知された音態様によって前記第２種非電動役物１２ないし１５への入賞において遊技者にとって有利な入賞となる少なくとも１つの前記第２種非電動役物１２ないし１５を知ることができるという効果を奏する。
【００８７】
上記作用を奏する第２実施例のパチンコ遊技機は、前記スピーカ９９が、前記開閉状態検知手段９２により検知された前記第２種非電動役物１２ないし１５の開閉状態に基づいて構成される入賞判定テーブル９３に従って、前記第２種非電動役物１２ないし１５への入賞において遊技者にとって有利な入賞となる１つまたは複数の前記第２種非電動役物１２ないし１５を示唆するような楽器の音色の音態様によって報知するので、遊技者が報知された音態様によって前記第２種非電動役物１２ないし１５への入賞において遊技者にとって有利な入賞となる１つまたは複数の前記第２種非電動役物１２ないし１５を知ることができるという効果を奏する。
【００８８】
また、上記作用を奏する第２実施例のパチンコ遊技機は、前記第２種非電動役物１２ないし１５への入賞において遊技者にとって有利な入賞となる１つまたは複数の前記第２種非電動役物１２ないし１５を楽器の音色により示唆するので、遊技者にとって有利となる入賞順序の学習を可能にすることができるので、遊技者が遊技を行いながら興趣を持って遊技方法を習得することができるという効果を奏する。
【００８９】
本第２実施例のパチンコ遊技機は、音の種類が異なる複数の音態様によって遊技者にとって有利な入賞となる１つまたは複数の前記第２種非電動役物１２ないし１５を楽器の音色により示唆するので、遊技者が報知された音態様により興趣をもって遊技者にとって有利となる前記第２種非電動役物１２ないし１５への入賞順序を知ることができるという効果を奏する。
【実施例３】
【００９０】
本第３実施例のパチンコ遊技機は、前記第４発明ないし第７発明、第９発明および第１１発明の実施例であり、前記第２種非電動役物１２ないし１５の開閉状態を検知する開閉状態検知手段９２を備え、前記開閉状態検知手段９２による前記第２種非電動役物１２ないし１５の開閉状態の検知出力に基づいて遊技者にとって有利な入賞順序となる１つまたは複数の前記第２種非電動役物１２ないし１５を判定する判定手段９４における判定結果に基づいて、前記スピーカ９９において音の種類が異なった音態様、または音の周波数（すなわち、音の高さ）が異なった音態様によって報知するように構成した点が、上述の第１実施例および第２実施例との主な相違点であり、以下相違点を中心に説明する。
【００９１】
また、本第３実施例のパチンコ遊技機は、左ゲート３０および右ゲート３２に遊技球が進入したことをゲート進入検知スイッチ２８ａおよび２８ｃによって検知した時には、上述した第２実施例において説明した音の種類の差異により最適な前記第２種非電動役物１２ないし１５を示唆する報知態様の種類を選択して、中ゲート３１に遊技球が進入したことをゲート進入検知スイッチ２８ｂによって検知した時には、音の周波数（すなわち、音の高さ）の差異により最適な前記第２種非電動役物１２ないし１５を示唆する報知態様の種類を選択することを特徴とする。
【００９２】
第３実施例のパチンコ遊技機は、図１４ないし図１８に示されるように前記第２種非電動役物１２ないし１５の開閉状態を検知する開閉状態検知手段９２と、前記開閉状態検知手段９２における検知出力に基づいて構成される入賞判定テーブル９３３に従って、前記第２種非電動役物１２ないし１５への入賞において遊技者にとって有利となる前記第２種非電動役物１２ないし１５を判定する判定手段９４と、前記判定手段９４における判定結果に基づいて発生させる音の種類が異なった音態様、または発生させる音の周波数が異なった音態様を出力する報知手段９と、遊技球の進入によって前記第２種非電動役物１２ないし１５の一部を拡開状態へと変換する左ゲート３０、中ゲート３１および右ゲート３２と、該左ゲート３０への遊技球の進入を検知するゲート進入スイッチ２８ａ、該中ゲート３１への遊技球の進入を検知するゲート進入スイッチ２８ｂおよび該右ゲート３２への遊技球の進入を検知するゲート進入スイッチ２８ｃと、前記第２種非電動役物１２に配設され楽器のカスタネットが描かれるとともに、五線と、下第一線と、長調における主音のドを示す８分音符とが描かれた装飾部材９８３Ａと、前記第２種非電動役物１３に配設され楽器のピアノが描かれるとともに、五線と、長調におけるミを示す８分音符とが描かれた装飾部材９８３Ｂと、前記第２種非電動役物１４に配設され楽器のバイオリンが描かれるとともに、五線と、長調におけるソを示す８分音符とが描かれた装飾部材９８３Ｃと、前記第２種非電動役物１５に配設され楽器のフルートが描かれるとともに、五線と、長調におけるシを示す８分音符とが描かれた装飾部材９８３Ｄとを備えている。（なお、装飾部材９８３Ａないし９８３Ｄは図示しない。）
【００９３】
前記開閉状態検知手段９２は、上述した第２実施例と同様の作用および構成であるため説明を省略する。
【００９４】
前記入賞判定テーブル９３３は、図１５に示されるように前記左ゲート３０および右ゲート３２に遊技球が進入したことが検知された時に選択されて、前記第２種非電動役物１２ないし１５の開閉状態のデータと、該前記第２種非電動役物１２ないし１５の各開閉状態のデータと対応させた音の種類の差異により最適な前記第２種非電動役物１２ないし１５を示唆するための報知音態様により構成されたテーブルと、図１９に示されるように前記中ゲート３１に遊技球が進入したことが検知された時に選択されて、前記第２種非電動役物１２ないし１５の開閉状態のデータと、該前記第２種非電動役物１２ないし１５の各開閉状態のデータと対応させた音の周波数の差異により最適な前記第２種非電動役物１２ないし１５を示唆する報知音態様により構成されたテーブルとから成り、予め前記ＲＯＭ８２に格納されている。
【００９５】
以下において、本第３実施例における前記スピーカ９９によって報知される音態様の決定制御を説明する。
【００９６】
最初に、前記左ゲート３０遊技球が進入したことをゲート進入検知スイッチ２８ａによって検知した時には、前記開閉状態検知手段９２において検知された前記第２種非電動役物１２ないし１５の開閉状態のデータに基づき、図１５に示される前記入賞判定テーブル９３３のテーブルの上から４行目を参照して、遊技者にとって有利な入賞順序となる前記第２種非電動役物１２および１３に対応する楽器のカスタネットの音色とピアノの音色が前記スピーカ９９によって短い周期で交互に繰り返し報知される。
【００９７】
また、上述した「状態１」において、前記第２種非電動役物１２の前記左誘導部材および右誘導部材に誘導されて遊技球が入賞した場合には、前記第２種非電動役物１３および前記第２種非電動役物１５が拡開状態にあり、前記第２種非電動役物１２および前記第２種非電動役物１４は閉鎖状態にある。
【００９８】
ここで前記開閉状態検知手段９２において検知された前記第２種非電動役物１２ないし１５の開閉状態のデータに基づき、図１５に示される前記入賞判定テーブル９３３のテーブルの上から１１行目を参照して、遊技者にとって有利な入賞順序となる前記第２種非電動役物１５に対応する楽器のフルートの音色が前記スピーカ９９によって報知される。
【００９９】
次に、前記中ゲート３１に遊技球が進入したことをゲート進入検知スイッチ２８ｂによって検知した時には、前記開閉状態検知手段９２において検知された前記第２種非電動役物１２ないし１５の開閉状態のデータに基づき、図１８に示される前記入賞判定テーブル９３３のテーブルの上から２行目を参照して、遊技者にとって有利な入賞順序となる前記第２種非電動役物１２ないし１４を示唆する音の高さ（すなわち、音の周波数）が長調における主音のド、ミおよびソである効果音または電子音が前記スピーカ９９によって短い周期で交互に繰り返し報知される。
【０１００】
また、前記中ゲート３１に遊技球が進入したことをゲート進入検知スイッチ２８ｂによって検知した後に、前記第２種非電動役物１２の前記左誘導部材および右誘導部材に誘導されて遊技球が入賞した場合には、前記第２種非電動役物１３、前記第２種非電動役物１４および前記第２種非電動役物１５が拡開状態にあり、前記第２種非電動役物１２は閉鎖状態にある。
【０１０１】
ここで前記開閉状態検知手段９２において検知された前記第２種非電動役物１２ないし１５の開閉状態のデータに基づき、図１８に示される前記入賞判定テーブル９３３のテーブルの上から９行目を参照して、遊技者にとって有利な入賞順序となる前記第２種非電動役物１５を示唆する音の高さ（すなわち、音の周波数）が長調におけるシである効果音または電子音が前記スピーカ９９によって報知される。
【０１０２】
本第３実施例のパチンコ遊技機においては、上述したように前記第２種非電動役物１２ないし１５の前記左誘導部材および右誘導部材に誘導されて遊技球が入賞して前記入賞検知スイッチ２２ないし２５において該入賞が検知される毎に、上記した前記入賞判定テーブル９３３を参照して前記スピーカ９９によって報知する音態様を選択する。また、前記左ゲート３０、中ゲート３１または右ゲート３２に遊技球が進入して前記ゲート進入検知スイッチ２８ａないし２８ｃにおいて該進入が検知される毎に、前記スピーカ９９において行なわれる報知態様の種類を選択する。
【０１０３】
以下、上記構成および作用の本第３実施例のパチンコ遊技機の効果について説明する。
【０１０４】
上記作用を奏する第３実施例のパチンコ遊技機は、遊技球の入球しやすい拡開状態と、遊技球の入球しにくい閉鎖状態を備えた複数の入賞装置を有するパチンコ遊技機において、前記変換機構１が複数の進入穴からの遊技球の進入および入賞装置への入賞を検知して、前記入賞装置の拡開状態と閉鎖状態とを変換するとともに、前記開閉状態検知手段９２により前記第２種非電動役物１２ないし１５の開閉状態を検知して、前記開閉状態検知手段９２により検知された開閉状態に基づいて、前記スピーカ９９の報知出力により前記第２種非電動役物１２ないし１５への入賞において遊技者にとって有利な入賞となる１つまたは複数の前記第２種非電動役物１２ないし１５を音態様によって報知するので、遊技者が報知された音態様によって前記第２種非電動役物１２ないし１５への入賞において遊技者にとって有利な入賞となる１つまたは複数の前記第２種非電動役物１２ないし１５を知ることができるという効果を奏する。
【０１０５】
上記作用を奏する第３実施例のパチンコ遊技機は、前記開閉状態検知手段９２により検知された前記第２種非電動役物１２ないし１５の開閉状態に基づいて構成される入賞判定テーブル９３３に従って、前記スピーカ９９の報知出力により前記第２種非電動役物１２ないし１５への入賞において遊技者にとって有利な入賞となる１つまたは複数の前記第２種非電動役物１２ないし１５を示唆する音態様によって報知するので、遊技者が報知された音態様によって前記第２種非電動役物１２ないし１５への入賞において遊技者にとって有利な入賞となる１つまたは複数の前記第２種非電動役物１２ないし１５を知ることができるという効果を奏する。
【０１０６】
また、上記作用を奏する第３実施例のパチンコ遊技機は、前記第２種非電動役物１２ないし１５への入賞において遊技者にとって有利な入賞となる１つまたは複数の前記第２種非電動役物１２ないし１５を示唆するので、遊技者にとって有利となる入賞順序の学習を可能にすることができるので、遊技者が遊技を行いながら興趣を持って遊技方法を習得することができるという効果を奏する。
【０１０７】
上記作用を奏する第３実施例のパチンコ遊技機は、前記報知態様設定手段が、前記複数の前記第２種非電動役物１２ないし１５への入賞において遊技者にとって有利な入賞となる１つまたは複数の前記第２種非電動役物１２ないし１５を示唆する音態様のを設定するので、前記報知態様設定手段の作動を契機として報知する音態様の種類を変更するため、遊技者に興趣のある遊技を提供することができるという効果を奏する。
【０１０８】
上記作用を奏する第３実施例のパチンコ遊技機は、前記左ゲート３０、中ゲート３１または右ゲート３２への遊技球の進入のタイミングに同期して前記報知態様設定手段が作動するので、前記報知手段において報知される音態様の種類を明確にすることができるという効果を奏する。
【０１０９】
本第３実施例のパチンコ遊技機は、音の種類が異なる複数の音態様によって遊技者にとって有利な入賞となる少なくとも１つの前記第２種非電動役物１２ないし１５を音の種類の異なる音態様によって示唆するので、遊技者が報知された音態様により興趣をもって遊技者にとって有利となる前記第２種非電動役物１２ないし１５への入賞順序を知ることができるという効果を奏する。
【０１１０】
本第３実施例のパチンコ遊技機は、音の高さ（すなわち、音の周波数）が異なる複数の音態様によって遊技者にとって有利な入賞となる１つまたは複数の前記第２種非電動役物１２ないし１５を示唆するので、遊技者が報知された音態様により興趣をもって遊技者にとって有利となる前記第２種非電動役物１２ないし１５への入賞順序を知ることができるという効果を奏する。
【実施例４】
【０１１１】
本第４実施例のパチンコ遊技機は、前記第４発明および第５発明の実施例であり、前記第２種非電動役物１２ないし１５の開閉状態を検知する開閉状態検知手段９２を備え、前記開閉状態検知手段９２による前記第２種非電動役物１２ないし１５の開閉状態の検知出力に基づいて遊技者にとって有利な入賞となる１つまたは複数の前記第２種非電動役物１２ないし１５を判定する判定手段９４における判定結果に基づいて、前記第２種非電動役物１２ないし１５に対応するように配設されたスピーカ９９４Ａないし９９４Ｄによって音態様が報知されるように構成した点が、上述の第１実施例ないし第３実施例との主な相違点であり、以下相違点を中心に説明する。
【０１１２】
第４実施例のパチンコ遊技機は、図１３、図１４および図１９に示されるように前記第２種非電動役物１２ないし１５の開閉状態を検知する開閉状態検知手段９２と、前記開閉状態検知手段９２における検知出力に基づいて構成される入賞判定テーブル９３４に従って、前記第２種非電動役物１２ないし１５への入賞が遊技者にとって有利となる１つまたは複数の前記第２種非電動役物１２ないし１５を判定する判定手段９４と、前記判定手段９４における判定結果に基づいて前記第２種非電動役物１２ないし１５に対応するように配設されたスピーカ９９４Ａないし９９４Ｄによって音態様を報知する報知手段９と、遊技球の進入によって前記第２種非電動役物１２ないし１５の一部を拡開状態へと変換する左ゲート３０、中ゲート３１および右ゲート３２と、前記第２種非電動役物１２に配設されたスピーカ９９４Ａと、前記第２種非電動役物１３に配設されたスピーカ９９４Ｂと、前記第２種非電動役物１４に配設されたスピーカ９９４Ｃと、前記第２種非電動役物１５に配設されたスピーカ９９４Ｄとを備えている。（なお、スピーカ９９４Ａないし９９４Ｄは図示しない。）
【０１１３】
前記開閉状態検知手段９２は、上述した第２実施例および第３実施例と同様の作用および構成であるため説明を省略する。
【０１１４】
前記入賞判定テーブル９３４は、図１９に示されるように、前記第２種非電動役物１２ないし１５の開閉状態のデータと、該前記第２種非電動役物１２ないし１５の各開閉状態のデータと対応させた前記スピーカ９９４Ａないし９９４Ｄによる報知音態様により構成され、予め前記ＲＯＭ８２に格納されている。
【０１１５】
以下において、本第４実施例における前記スピーカ９９４Ａないし９９４Ｄによって報知される音態様の決定制御を説明する。
【０１１６】
ここで、上述した「状態１」において、前記開閉状態検知手段９２において検知された前記第２種非電動役物１２ないし１５の開閉状態のデータに基づき、図１９に示される前記入賞判定テーブル９３４の上から４行目を参照して、遊技者にとって有利な入賞順序となる前記第２種非電動役物１２および１３に対応する前記スピーカ９９４Ａないし９９４Ｂによって効果音または電子音が短い周期で交互に繰り返し報知される。
【０１１７】
また、上述した「状態２」において、前記開閉状態検知手段９２において検知された前記第２種非電動役物１２ないし１５の開閉状態のデータに基づき、図１９に示される前記入賞判定テーブル９３４の上から１１行目を参照して、遊技者にとって有利な入賞順序となる前記第２種非電動役物１５に対応する前記スピーカ９９４Ｄによって効果音または電子音が報知される。
【０１１８】
本第４実施例のパチンコ遊技機においては、上述したように前記第２種非電動役物１２ないし１５の前記左誘導部材および右誘導部材に誘導されて遊技球が入賞して前記入賞検知スイッチ２２ないし２５において該入賞が検知される毎に、上記した前記入賞判定テーブル９３４を参照して前記スピーカ９９４Ａないし９９４Ｄによって報知する音態様を選択する。
【０１１９】
以下、上記構成および作用の本第４実施例のパチンコ遊技機の効果について説明する。
【０１２０】
上記作用を奏する第４実施例のパチンコ遊技機は、遊技球の入球しやすい拡開状態と、遊技球の入球しにくい閉鎖状態を備えた複数の入賞装置を有するパチンコ遊技機において、前記変換機構１が複数の進入穴からの遊技球の進入および入賞装置への入賞を検知して、前記入賞装置の拡開状態と閉鎖状態とを変換するとともに、前記開閉状態検知手段９２により前記第２種非電動役物１２ないし１５の開閉状態を検知して、前記開閉状態検知手段９２により検知された開閉状態に基づいて、前記スピーカ９９４Ａないし９９４Ｄにより前記第２種非電動役物１２ないし１５への入賞において遊技者にとって有利な入賞となる１つまたは複数の前記第２種非電動役物１２ないし１５を音態様によって報知するので、遊技者が報知された音態様によって前記第２種非電動役物１２ないし１５への入賞において遊技者にとって有利な入賞となる少なくとも１つの前記第２種非電動役物１２ないし１５を知ることができるという効果を奏する。
【０１２１】
上記作用を奏する第４実施例のパチンコ遊技機は、前記スピーカ９９４Ａないし９９４Ｄが、前記開閉状態検知手段９２により検知された前記第２種非電動役物１２ないし１５の開閉状態に基づいて構成される入賞判定テーブル９３に従って、前記第２種非電動役物１２ないし１５への入賞において遊技者にとって有利な入賞となる１つまたは複数の前記第２種非電動役物１２ないし１５に配設されたスピーカからの音によって示唆するような音態様（すなわち、音の発生位置）によって報知するので、遊技者が報知された音態様によって前記第２種非電動役物１２ないし１５への入賞において遊技者にとって有利な入賞となる１つまたは複数の前記第２種非電動役物１２ないし１５を知ることができるという効果を奏する。
【０１２２】
また、上記作用を奏する第４実施例のパチンコ遊技機は、前記第２種非電動役物１２ないし１５への入賞において遊技者にとって有利な入賞となる１つまたは複数の前記第２種非電動役物１２ないし１５を示唆するので、遊技者にとって有利となる入賞順序の学習を可能にすることができるので、遊技者が遊技を行いながら興趣を持って遊技方法を習得することができるという効果を奏する。
【０１２３】
本第４実施例のパチンコ遊技機は、音源が異なる複数の音態様によって遊技者にとって有利な入賞となる１つまたは複数の前記第２種非電動役物１２ないし１５を示唆するので、遊技者が報知された音態様により興趣をもって遊技者にとって有利となる前記第２種非電動役物１２ないし１５への入賞順序を知ることができるという効果を奏する。
【０１２４】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【０１２５】
上述した第１実施例ないし第４実施例においては、前記報知手段９の形態の一例として歌、交響曲、電子音、効果音、音声、台詞またはその他を発生する音の発生手段として前記スピーカ９９または前記スピーカ９９４Ａないし９９４Ｄを用いたが、本発明はこれに限定されるものではなく、報知指令出力により作動するモータまたはソレノイド、ぜんまい等によりオルゴールまたはベル等に音を発生させる形態を採用することが出来る。また、空気の振動を発生させる装置を備えることにより、音態様を発生させる構成を採用することも出来るものであり、どのような装置または形態によって報知する音態様を発生させるかについては、本発明の効果を実現するにあたり有効的に適宜選択できるものであり、上述したスピーカ９９または前記スピーカ９９４Ａないし９９４Ｄによるものに限定されない。
【０１２６】
第１実施例ないし第３実施例のパチンコ遊技機において、前記装飾部材に描かれる図柄を楽器もしくは動物を採用することによって、前記報知手段９によって報知する音態様と対応させて遊技者にとって有利となる前記第２種非電動役物１２ないし１５を示唆する構成としたが、本発明はこれに限定されるものではなく、遊技者にとって有利となる前記第２種非電動役物１２ないし１５を示唆可能であるとともに効果的な報知演出を実現するものであれば、音態様と対応可能なその他の動物、植物、キャラクター、文字等を適宜選択して採用することが出来る。また、第１実施例ないし第３実施例においては、音態様と対応させた図柄を前記第２種非電動役物１２ないし１５に配設された前記装飾部材に描くことにより遊技者にとって有利となる前記第２種非電動役物１２ないし１５を示唆する構成としたが、本発明はこれに限定されることなく前記第２種非電動役物１２ないし１５と対応させて遊技者にとって有利となる前記第２種非電動役物１２ないし１５を示唆する作用を奏する範囲内においては、前記遊技盤１００に音態様と対応させた図柄を描くとともに、該図柄と前記第２種非電動役物１２ないし１５を対応させる形態を採用することができる。
【０１２７】
上述した第１実施例ないし第３実施例においては前記装飾部材は、前記スピーカ９９によって報知する音態様と対応させた図柄が描かれた構成としたが、本発明はこれに限定されるものではなく、該装飾部材を前記スピーカ９９によって報知する音態様と対応させた図柄を模った形に形成する形態を採用することができる。
【０１２８】
前記第１実施例ないし第４実施例に記載したパチンコ遊技機においては、一例として前記スピーカ９９または前記スピーカ９９４Ａないし９９４Ｄによって実現される音情報を用いての報知形態を採用したが、本発明はこれに限定されるものではなくＬＥＤまたはおよびドット表示部等を用いた光情報による報知形態、ソレノイドまたはモータを用いた報知役物による報知形態、またはおよび電気的駆動力を用いずに該報知役物を作動させることにより実現される報知形態等を本発明の効果を実現するにあたり有効的に適宜組み合わせることが出来るものである。
【０１２９】
上述した第２実施例ないし第４実施例においては、前記判定手段９４の判定結果に基づいて、すなわち前記開閉状態検知手段９２において検知された前記第２種非電動役物１２ないし１５の開閉状態のデータに基づき、前記スピーカ９９によって遊技者にとって有利となる前記第２種非電動役物１２ないし１５を示唆すべく音態様によって報知を行なう構成としたが、本発明はこれに限定されるものでなく一例として、前記入賞検知スイッチ２０ないし２７の検知出力に基づき、遊技者にとって有利となる前記第２種非電動役物１２ないし１５を示唆すべく音態様によって報知を行なう形態を採用することが出来る。
【０１３０】
なお、遊技者にとって有利な順序でない入賞検知スイッチの検知出力が出された場合、または前記開閉状態検知手段９２において検知される前記第２種非電動役物１２ないし１５の開閉状態のデータが、前記第２種非電動役物１２ないし１５へ遊技球が入賞する前の開閉状態のデータと入賞した後の開閉状態のデータを参照して、遊技者にとって有利な順序とならない前記第２種非電動役物１２ないし１５へ遊技球が入賞したと判定された場合には、前記スピーカ９９または前記スピーカ９９４Ａないし９９４Ｄによる報知態様を異なった報知態様に変更する形態または、報知態様を停止する形態を採用して、有利な順序とならなかったことを知らしめることが出来る。なお、前記スピーカ９９または前記スピーカ９９４Ａないし９９４Ｄによる報知を停止した後には、前記左ゲート３０、中ゲート３１または右ゲート３２への遊技球の進入を検知する等の一定条件を満たすと再び前記スピーカ９９による報知が開始される構成とすることが出来る。
【０１３１】
前記第２実施例ないし第４実施例のパチンコ遊技機においては報知する音態様を選択する前記入賞判定テーブル９３、９３３および９３４を図１３および図１６に示されるようにメイン制御基板に備えた構成としたが、前記入賞判定テーブル９３、９３３および９３４を音声制御基板に格納して、前記開閉状態検知手段９２等の検知出力に従い音声制御基板においてメイン制御基板とは独立して報知する音態様を選択する構成とすることが出来る。
【０１３２】
前記第１実施例においては、一例として前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチを配設したが、本発明はこれに限定されるものではなく、前記第１種非電動役物１０および１１、前記第２種非電動役物１２ないし１５および前記入賞口１６および１７の何れの組み合わせに対して共通の入賞検知スイッチを備えるかは、本発明の効果を実現するにあたり有効的に適宜選択できるものである。
【０１３３】
前記第１実施例においては、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチを配設したが、本発明を第２実施例ないし第４実施例に適用することができる。
【０１３４】
上述の第２実施例においては、報知する音態様を音の種類が異なる楽器のカスタネット、ピアノ、バイオリン、フルートの音色の４種類としたが、本発明はこれに限定されるものではなく、４種類以上の音の種類または４種類より少ない数の音源を用いて報知する形態を採用することが出来るとともに、報知する音態様はその他の楽器の音色も採用出来るものであるとともに、本発明の効果を有効に実現するにあたり、その他の動物の鳴き声、人間の声、自然の音を録音したもの、シンセサイザーで合成した音、その他の音の種類を適宜選択出来るものである。
【０１３５】
前記第３実施例においては前記左ゲート３０、中ゲート３１または右ゲート３２に遊技球が進入した時に選択される音態様の種類を一例として２種類備える構成としたが、本発明はこれに限定されるものでなく該音態様の種類を複数種類備え、該複数の音態様の種類を遊技状況に応じて選択的に用いるものであればよい。
【０１３６】
第３実施例のパチンコ遊技機においては、音の高さの異なる電子音または効果音によって遊技者にとって有利となる前記第２種非電動役物１２ないし１５を報知する構成としたが、本発明はこれに限定されることなく、音の高さが異なるとともに前記装飾部材９８３Ａないし９８３Ｄに描かれた楽器の音色の音態様によって遊技者にとって有利となる前記第２種非電動役物１２ないし１５を報知する形態を採用することができる。また、本発明の効果を実現するにあたり第１実施例ないし第３実施例において上述した音の種類または音の高さの差異を適宜選択組み合わせた形態を採用することが出来る。
【０１３７】
第３実施例においては、遊技球が前記左ゲート３０、中ゲート３１または右ゲート３２のいずれに進入するかに応じて音態様の種類を選択する構成としたが、本発明はこれに限定されるものではなく、前記入賞検知スイッチ２０ないし２７および２９のいずれかにおいて検知出力が出された時に音態様の種類を選択する形態を採用することができる。また、遊技者が操作可能な操作ボタンを本発明のパチンコ遊技機に配設して、該操作ボタンを操作することにより音態様の種類を選択する形態を採用することもできる。
【０１３８】
第３実施例のパチンコ遊技機においては、音の周波数の範囲を長調における主音ドないしシの範囲内において周波数の異なる電子音または効果によって報知する構成としたが、本発明はこれに限定されることなく、報知する周波数の範囲を上記した範囲以外に設定することが出来る。また、遊技者が操作可能な操作ボタンを本発明の遊技機に配設して、遊技者が該操作ボタンを操作することにより報知する周波数の範囲を選択または調整可能な構成とすることが出来る。なお、該操作ボタンは本発明の効果を実現するにあたり第１実施例、第２実施例および第４実施例においても適用出来るものであり、音量、音の種類および音のリズムを選択または調整する用途、および報知される音態様の一時停止または再生機能としての用途等に用いることが出来る。
【０１３９】
第４実施例のパチンコ遊技機においては、前記スピーカ９９４Ａないし９９４Ｄによって報知する音態様を効果音または電子音としたが、本発明はこれに限定されるものではなく、発明の効果を有効に実現するにあたり、動物の鳴き声、人間の声、自然の音を録音したもの、シンセサイザーで合成した音、その他の音の種類を適宜選択出来るとともに、前記スピーカ９９４Ａないし９９４Ｄによって報知される音態様は音の種類、音の周波数またはおよび音のリズム等の変化を付加することも出来る。
【０１４０】
前記第１実施例ないし第４実施例に記載したパチンコ遊技機においては、入賞検知手段の検知出力に基づいて遊技者にとって有利な入賞となる次に入賞すべき少なくとも１つの入賞装置を示唆することにより報知する形態を採用したが、本発明はこれに限定されることなく、遊技球の入球しやすい拡開状態と、遊技球の入球しにくい閉鎖状態を備えた複数の入賞装置を有するとともに、遊技球が複数の進入穴へ進入した時および入賞装置へ入賞した時に、入賞装置の拡開状態と閉鎖状態とを変換する変換機構とを備え、遊技球の動きによって動く部材の動きにより作動するもしくは作動を停止するスピーカ等の音態様によって、遊技者にとって有利な入賞となる次に入賞すべき少なくとも１つの入賞装置を示唆することにより報知する形態を採用することが出来る。
【産業上の利用可能性】
【０１４１】
遊技球の入球しやすい拡開状態と、遊技球の入球しにくい閉鎖状態を備えた複数の入賞装置を有するパチンコ遊技機において、複数の進入穴からの遊技球の進入および入賞装置への入賞を検知して、入賞装置の拡開状態と閉鎖状態とを変換する変換機構と、入賞装置への入賞を検知して、入賞情報を出力する入賞検知手段と、複数の入賞装置のいずれか１つに入賞した場合においては、遊技者にとって有利な入賞となるように予め設定されている少なくとも１つの入賞装置を示唆するような音態様によって報知する報知手段から成るように構成され、遊技者が報知された音態様により前記複数の入賞装置への入賞において遊技者にとって有利な入賞となる少なくとも１つの入賞装置を知ることができるという用途に適用できる。
【図面の簡単な説明】
【０１４２】
【図１】本発明の第１実施例ないし第３実施例パチンコ遊技機を示す正面図である。
【図２】本第１実施例ないし第３実施例のパチンコ遊技機の遊技盤面を示す正面図である。
【図３】本第１実施例のパチンコ遊技機の遊技盤裏面に配設された、遊技球導出路、変換機構および入賞検知スイッチを示す裏面図である。
【図４】本第１実施例ないし第３実施例のパチンコ遊技機の第１種非電動役物および変換機構を示す部分拡大正面図および部分拡大斜視図である。
【図５】本第１実施例ないし第３実施例のパチンコ遊技機の第１種非電動役物および変換機構を示す部分拡大側面図および部分拡大正面図である。
【図６】本第１実施例ないし第３実施例のパチンコ遊技機の第２種非電動役物および変換機構を示す部分拡大正面図および部分拡大斜視図である。
【図７】本第１実施例ないし第３実施例のパチンコ遊技機の第２種非電動役物および変換機構を示す部分拡大側面図および部分拡大正面図である。
【図８】本第１実施例ないし第３実施例のパチンコ遊技機の第２種非電動役物および変換機構の要部を示す部分拡大正面図である。
【図９】本第１実施例ないし第３実施例のパチンコ遊技機の第２種非電動役物および変換機構の要部を示す部分拡大上面図である。
【図１０】本第１実施例ないし第３実施例のパチンコ遊技機の第２種非電動役物、左ゲート、中ゲート、右ゲート、下ゲートおよび変換機構の要部を示す部分拡大正面図および部分拡大断面図である。
【図１１】本第１実施例のパチンコ遊技機における報知する音態様を選択して報知するための制御ブロック図である。
【図１２】本第１実施例のパチンコ遊技機において、入賞検知スイッチと報知される音態様の対応関係を示す説明図である。
【図１３】本第２実施例のパチンコ遊技機における報知する音態様を選択して報知するための制御ブロック図である。
【図１４】本第２実施例および第３実施例のパチンコ遊技機における、第２種非電動役物と開閉状態検知装置の位置関係を示す部分拡大側面図である。
【図１５】本第２実施例および第３実施例の入賞判定テーブルの詳細を示した説明図である。
【図１６】本第３実施例のパチンコ遊技機における報知する音態様を選択して報知するための制御ブロック図である。
【図１７】本第２実施例および第３実施例のパチンコ遊技機の遊技盤裏面に配設された、遊技球導出路、変換機構および入賞検知スイッチを示す裏面図である。
【図１８】本第３実施例の入賞判定テーブルの詳細を示した説明図である。
【図１９】本第４実施例の入賞判定テーブルの詳細を示した説明図である。
【図２０】従来のパチンコ遊技機において、各役物装置と該各役物装置への入賞順序の適否に関係しない予め設定された効果音との対応関係を示した説明図。
【符号の説明】
【０１４３】
１  変換機構
２  入賞検知手段
９  報知手段
１０ないし１１  第１種非電動役物
１２ないし１５  第２種非電動役物
１０Ｔないし１５Ｔ  変換機構
１６ないし１７  入賞口
２０ないし２７および２９  入賞検知スイッチ
２８ａｎないし２８ｄ  ゲート進入検知スイッチ
３０  左ゲート
３１  中ゲート
３２  右ゲート
３３  下ゲート
４０および５０  左誘導部材
４１および５１  右誘導部材
４２および５２  ロック部材
４３および５３  第１のガイド部材
４４および５４  支持部材
４５および５５  第２のガイド部材
５６  連絡棒
５７  第１の左アーム
５８  第２の左アーム
５９  突出部材
８０  メイン制御基板
８１  ＣＰＵ
８２  ＲＯＭ
８３  ＲＡＭ
８４  音声制御基板
８５  払出制御基板
９２  開閉状態検知手段
９３  入賞判定テーブル
９４  判定手段
９８Ａないし９８Ｄ  装飾部材
１００  遊技盤
１１２ないし１１５  開閉状態検知装置
１２０  揺動部材
１２１  ローラ状部材
１２２  接点部材
９８２Ａないし９８２Ｄ  装飾部材
９８３Ａないし９８３Ｄ  装飾部材
９９４Ａないし９９４Ｄ  スピーカ
ＣＬ  閉鎖落下点
ＯＰ  拡開落下点
【図１】
2010125079.tif 000003
【図２】
2010125079.tif 000004
【図３】
2010125079.tif 000005
【図４】
2010125079.tif 000006
【図５】
2010125079.tif 000007
【図６】
2010125079.tif 000008
【図７】
2010125079.tif 000009
【図８】
2010125079.tif 000010
【図９】
2010125079.tif 000011
【図１０】
2010125079.tif 000012
【図１１】
2010125079.tif 000013
【図１２】
2010125079.tif 000014
【図１３】
2010125079.tif 000015
【図１４】
2010125079.tif 000016
【図１５】
2010125079.tif 000017
【図１６】
2010125079.tif 000018
【図１７】
2010125079.tif 000019
【図１８】
2010125079.tif 000020
【図１９】
2010125079.tif 000021
【図２０】
2010125079.tif 000022